(57)【要約】【課題】現在時刻を容易に確認でき、時刻表示の視認性に優れると共に、装飾性や、癒し効果があり、且つ、構造が簡素で誰でも簡単に作成できる、安価な日照を利用した時刻表示器具を提供する。【解決手段】非透光性の円筒体２の一外周部３に、外周部３を貫通させて、又は、外周部３を透光させて時刻を表す複数の模様４を周方向に順次並べて形成し、対向する外周部３に、外周部３を貫通する窓５、又は、外周部を透光させる窓５を形成し、太陽光が模様４の一つを通過し、窓５を通過し、円筒体２の外方に設けた表示体１３に到達すると、光が通過した模様４の映像１４が表示体１３に投映され、投映された映像１４によって時刻を表示するように構成された日照を利用した時刻表示器具１を提供する。【選択図】図１
2010256039.tif 000002
【特許請求の範囲】
【請求項１】
非透光性の円筒体の一外周部に、前記外周部を貫通させて、又は、前記外周部を透光させて時刻を表す複数の模様を周方向に順次並べて形成し、対向する外周部に、前記外周部を貫通する窓、又は、前記外周部を透光させる窓を形成し、太陽光が前記模様の一つを通過し、前記窓を通過し、前記円筒体の外方に設けた表示体に到達すると、光が通過した前記模様の映像が前記表示体に投映され、投映された映像によって時刻を表示するように構成されたことを特徴とする日照を利用した時刻表示器具。
【請求項２】
非透光性の円筒体の一外周部に、前記外周部を貫通させて、又は、前記外周部を透光させて時刻を表す複数の模様を周方向に順次並べて形成し、対向する外周部に、前記外周部を貫通する窓を設け、前記窓に半透明スクリーンを配設し、太陽光が前記模様の一つを通過し、前記スクリーンに到達すると、光が通過した前記模様の映像が前記半透明スクリーンに投映され、投映された映像によって時刻を表示するように構成されたことを特徴とする日照を利用した時刻表示器具。
【請求項３】
前記円筒体又は半円筒体は、傾斜自在に設けられることを特徴とする請求項１又は２記載の日照を利用した時刻表示器具。
【請求項４】
非透光性の円筒体又は半円筒体の外周部に、前記外周部を貫通する窓を設け、前記窓に半透明スクリーンを配設し、前記半円筒体の中心側に軸方向に延びる棒体を設け、前記半透明スクリーンの外周下端近傍に時刻を表す複数の模様を順次並べて表示し、前記外周部が円筒体である場合は、前記窓に対向する外周部に透光窓を設け、太陽光が前記棒体を通過し、前記半透明スクリーンに到達すると、前記棒体の映像が前記半透明スクリーンに投映され、投映された映像の位置によって指し示される前記模様によって時刻を表示するように構成されたことを特徴とする日照を利用した時刻表示器具。
【請求項５】
前記棒体の上端部が前記半透明スクリーンの上方に傾斜して固着、又は、揺動自在に設けられていることを特徴とする請求項４記載の日照を利用した時刻表示器具。
【請求項６】
前記棒体が前記半透明スクリーンに並行に固設されていることを特徴とする請求項４記載の日照を利用した時刻表示器具。
【請求項７】
前記模様は、時刻を表す数字、符号、デザイン、モチーフ、又は、絵であることを特徴とする請求項１乃至６のうちいずれか一に記載の日照を利用した時刻表示器具。
【請求項８】
前記円筒体又は半円筒体に、前記円筒体又は半円筒体を所定高さに位置させる脚部が設けられることを特徴とする請求項１乃至７のうちいずれか一に記載の日照を利用した時刻表示器具。
【発明の詳細な説明】
【技術分野】
【０００１】
本発明は、現在時刻を容易に確認でき、時刻表示の視認性に優れ、構造が簡素で誰でも簡単に作成できる、安価な日照を利用した時刻表示器具に関する。
【背景技術】
【０００２】
日照を利用した時刻表示器具は、従来、日時計として知られ、日時計は、一般に、例えば時刻の目盛りを表示した平板に、指針を立設し、太陽光線による指針の映像（影）の位置によって時刻を知るものが良く知られている。
特許文献１は、前述した日時計の一例である。
【先行技術文献】
【特許文献】
【０００３】
【特許文献１】実開平６−６４１８９号公報
【発明の概要】
【発明が解決しようとする課題】
【０００４】
前述した日時計は、目盛りの中の指針の映像の位置によって時刻を知るものであるが、映像の位置によって目盛りを読み取るものであるため、目盛りを読み取る煩雑さがあり、現在時刻を瞬時に確認できない場合がある。
又、指針の映像は、目盛りの中では、判別しにくいという問題もある。
更に、時刻の表示そのものが、装飾性等に欠ける場合がある。
【０００５】
以上の現状に鑑み、本発明は、現在時刻を容易に確認でき、時刻表示の視認性に優れると共に、装飾性や、癒し効果があり、且つ、構造が簡素で誰でも簡単に作成できる、安価な日照を利用した時刻表示器具を提供することを目的とする。
【課題を解決するための手段】
【０００６】
上記の課題を解決すべく、本発明は以下の構成を提供する。
請求項１に係る発明は、非透光性の円筒体の一外周部に、前記外周部を貫通させて、又は、前記外周部を透光させて時刻を表す複数の模様を周方向に順次並べて形成し、対向する外周部に、前記外周部を貫通する窓、又は、前記外周部を透光させる窓を形成し、太陽光が前記模様の一つを通過し、前記窓を通過し、前記円筒体の外方に設けた表示体に到達すると、光が通過した前記模様の映像が前記表示体に投映され、投映された映像によって時刻を表示するように構成されたことを特徴とする日照を利用した時刻表示器具を提供するものである。
【０００７】
請求項２に係る発明は、非透光性の円筒体の一外周部に、前記外周部を貫通させて、又は、前記外周部を透光させて時刻を表す複数の模様を周方向に順次並べて形成し、対向する外周部に、前記外周部を貫通する窓を設け、前記窓に半透明スクリーンを配設し、太陽光が前記模様の一つを通過し、前記スクリーンに到達すると、光が通過した前記模様の映像が前記半透明スクリーンに投映され、投映された映像によって時刻を表示するように構成されたことを特徴とする日照を利用した時刻表示器具を提供するものである。
【０００８】
請求項３に係る発明は、前記円筒体又は半円筒体は、傾斜自在に設けられることを特徴とする請求項１又は２記載の日照を利用した時刻表示器具を提供するものである。
【０００９】
請求項４に係る発明は、非透光性の円筒体又は半円筒体の外周部に、前記外周部を貫通する窓を設け、前記窓に半透明スクリーンを配設し、前記半円筒体の中心側に軸方向に延びる棒体を設け、前記半透明スクリーンの外周下端近傍に時刻を表す複数の模様を順次並べて表示し、前記外周部が円筒体である場合は、前記窓に対向する外周部に透光窓を設け、太陽光が前記棒体を通過し、前記半透明スクリーンに到達すると、前記棒体の映像が前記半透明スクリーンに投映され、投映された映像の位置によって指し示される前記模様によって時刻を表示するように構成されたことを特徴とする日照を利用した時刻表示器具を提供するものである。
【００１０】
請求項５に係る発明は、前記棒体の上端部が前記半透明スクリーンの上方に傾斜して固着、又は、揺動自在に設けられていることを特徴とする請求項４記載の日照を利用した時刻表示器具を提供するものである。
【００１１】
請求項６に係る発明は、前記棒体が前記半透明スクリーンに並行に固設されていることを特徴とする請求項４記載の日照を利用した時刻表示器具を提供するものである。
【００１２】
請求項７に係る発明は、前記模様は、時刻を表す数字、符号、デザイン、モチーフ、又は、絵であることを特徴とする請求項１乃至６のうちいずれか一に記載の日照を利用した時刻表示器具を提供するものである。
【００１３】
請求項８に係る発明は、前記円筒体又は半円筒体に、前記円筒体又は半円筒体を所定高さに位置させる脚部が設けられることを特徴とする請求項１乃至７のうちいずれか一に記載の日照を利用した時刻表示器具を提供するものである。
【発明の効果】
【００１４】
本発明の請求項１記載の発明によれば、現在時刻を容易に確認でき、時刻表示の視認性に優れると共に、装飾性や、癒し効果があり、且つ、構造が簡素で誰でも簡単に作成できる、安価な日照を利用した時刻表示器具を提供することができる。
【００１５】
請求項２記載の発明によれば、現在時刻を容易に確認でき、時刻表示の視認性に優れると共に、装飾性や、癒し効果があり、且つ、構造が簡素で誰でも簡単に作成できる、安価な日照を利用した時刻表示器具を提供することができる。
【００１６】
請求項３記載の発明によれば、請求項１又は２記載の発明の効果に加え、円筒体又は半円筒体を太陽光に合わせて適宜に傾斜させることにより、見やすい映像を見やすい位置に映すことができる。
【００１７】
請求項４記載の発明によれば、現在時刻を容易に確認でき、時刻表示の視認性に優れると共に、装飾性や、癒し効果があり、且つ、構造が簡素で誰でも簡単に作成できる、安価な日照を利用した時刻表示器具を提供することができる。
【００１８】
請求項５記載の発明によれば、請求項４記載の発明の効果に加え、棒体を半透明スクリーンに対して傾斜させることにより、半透明スクリーンに投射される棒体の映像を傾斜して表示させることができ、従来のアナログ時計の針に似たような表示が可能である。
【００１９】
請求項６記載の発明によれば、請求項４記載の発明の効果に加え、棒体が半透明スクリーンに並行に固設されているので、半透明スクリーンに投射される棒体の映像を半透明スクリーンの上下方向に表示させることができる。
【００２０】
請求項７記載の発明によれば、請求項１乃至６のうちいずれか一に記載の発明の効果に加え、模様を、時刻を表す数字、符号、デザイン、モチーフ、又は、絵等で表示することにより、視認性、装飾性、癒し効果等を高めることができる。
【００２１】
請求項８記載の発明によれば、請求項１乃至７のうちいずれか一に記載の発明の効果に加え、脚部が設けられることにより、円筒体又は半円筒体を見やすい高さに位置させることができると共に、映像を見やすい高さに映すことができる。
【図面の簡単な説明】
【００２２】
【図１】（ａ）本発明の第１実施例に係る日照を利用した時刻表示器具の概念を示す斜視図である。（ｂ）本発明の第１実施例に係る日照を利用した時刻表示器具の斜視図である。（ｃ）本発明の第１実施例に係る日照を利用した時刻表示器具の揺動自在に形成した脚部の側面図である。
【図２】本発明の第１実施例に係る日照を利用した時刻表示器具の太陽と、窓と、模様の関係を示す説明図である。
【図３】（ａ）本発明の第１実施例に係る日照を利用した時刻表示器具の円筒体の製作方法を示す説明図である。（ｂ）本発明の第１実施例に係る日照を利用した時刻表示器具の円筒体の完成図である。
【図４】本発明の第１実施例に係る日照を利用した時刻表示器具の他の変形例の円筒体の製作方法を示す説明図である。
【図５】（ａ）本発明の第２実施例に係る日照を利用した時刻表示器具の概念を示す斜視図である。（ｂ）本発明の第２実施例に係る日照を利用した時刻表示器具の半透明スクリーンに映像が映っている状態を示す斜視図である。
【図６】本発明の第２実施例に係る日照を利用した時刻表示器具の円筒体の製作方法を示す説明図である。
【図７】（ａ）本発明の第３実施例に係る日照を利用した時刻表示器具の概念を示す斜視図である。（ｂ）本発明の第３実施例に係る日照を利用した時刻表示器具の斜視図である。（ｃ）本発明の第３実施例に係る半円筒体で構成される日照を利用した時刻表示器具の背面斜め側から見た斜視図である。
【図８】（ａ）本発明の第４実施例に係る日照を利用した時刻表示器具の概念を示す斜視図である。（ｂ）本発明の第４実施例に係る日照を利用した時刻表示器具の斜視図である。（ｃ）本発明の第４実施例に係る日照を利用した時刻表示器具の側面から見た斜視図である。
【発明を実施するための形態】
【００２３】
以下、実施例を示した図面を参照しつつ本発明の実施の形態を説明する。
【実施例１】
【００２４】
図１に於いて１は、本発明の第１実施例の日照を利用した時刻表示器具であり、日照を利用した時刻表示器具１は、非透光性の円筒体２の一外周部３に、外周部３を貫通させて、又は、外周部３を透光させて時刻を表す複数の模様４を周方向に順次並べて形成し、対向する外周部３に、外周部３を貫通する窓５、又は、外周部を透光させる窓５を形成したものである。
【００２５】
前記模様４は、例えば、時刻を表す数字、符号、デザイン、モチーフ、又は、絵（図３及び図４参照）である。又、前記円筒体２に、図１（ｂ）に示す如く、補強用ワイヤ６を取付けても良い。更に、円筒体２を所定高さに位置させる脚部７が設けられても良く、前記円筒体２は、脚部７を介して傾斜自在に設けられても良い。例えば、図１（ｃ）に示す如く、円筒体２から垂設される１又は２本の垂設脚部７ａの下端と、脚部基台７ｂから立設する立設脚部７ｃの上端との間に加圧状態で回転可能であり、且つ、垂設脚部７ａを任意の角度で回転停止状態に維持させる回転部７ｄを設けても良い。
【００２６】
図２は、日照を利用した時刻表示器具１の窓５と、模様４と、太陽８との位置関係を示したものである。日照を利用した時刻表示器具１の外周部３に模様４を適宜配置することにより、太陽８の光が模様４を透過し、窓５に照射する。窓５を通過した光は、日照を利用した時刻表示器具１の外方に設置される後述する表示体又は壁面等に模様４の映像を表示する。
模様４の配置は、日照を利用した時刻表示器具１を設置する地球上の緯度に於ける、各時刻の太陽の方角を求めて決定することができる。
【００２７】
図３は、日照を利用した時刻表示器具１の円筒体２の一製作例を示している。前記円筒体２は、紙、布、木材、陶器、金属、ガラス、石、樹脂、プラスチック、ゴム等で形成できるが、図３（ａ）に示すように、所定の硬さと軟らかさを備えた紙、布、木材、金属、樹脂、プラスチック、ゴム等からなる矩形状のシート９から製作しても良い。
その場合、例えば、シート９の中央部に時刻を表す複数の模様４を例えば、図３（ａ）に於いて「７，８，９…」の如く、横方向に順次並べて形成し、模様４の列の右側方にシート９を貫通する窓５、又は、透光シート等を貼付した半透光窓５を形成し、シート９の図３（ａ）に示す前面が円筒体２の内側になるようにしてシート９の重ねしろ１０を重ねて接合することにより図３（ｂ）に示す円筒形に組み立てると円筒体２が完成する。そして、必要に応じて、適宜、前記脚部（図１に於いて７）を取付けても良い。
【００２８】
而して、次に、図１（ａ）を用いて、前記日照を利用した時刻表示器具１を用いて時刻表示を行なわせる方法を説明する。
前記日照を利用した時刻表示器具１を窓５が北を向くようにして太陽光が照射する場所に設置し、時刻表示器具１の窓５の傍に、時刻表示器具１から離反させて、表示体１３を設置する。表示体１３は、新しく設置するものに限定されるものではなく、例えば、既存の壁等、模様４の映像１４が映し出されるものであれば他のものでも良い。
【００２９】
この状態で、太陽光が模様４の一つを通過し、窓５を通過し、円筒体２の外方に設けた表示体１３に到達すると、光が通過した模様４が表示体１３に投映されて映像１４が映し出され、映像１４によって時刻が表示される。
尚、表示体１３の適宜位置に映像１４が映し出されるように、予め、太陽光に合わせて円筒体２の設置位置や、円筒体２が傾斜可能な場合、その傾斜角度を適宜調整する。
【００３０】
図４は、日照を利用した時刻表示器具１の前記シート（図３に於いて９）に代えて用いられる変形例のシート１１を示し、シート１１は前記模様（図３に於いて４）に代えて、古代的数量を表現した模様１２が形成されたものである。このように、模様４又は１２は、時刻を表すもの、又は、時刻がわかるものであれば、その他の数字、符号、デザイン、モチーフ、又は、絵であっても良い。
【実施例２】
【００３１】
図５に於いて２１は、本発明の第２実施例の日照を利用した時刻表示器具であり、日照を利用した時刻表示器具２１は、前記日照を利用した時刻表示器具（図１に於いて１）の貫通する窓５に半透明スクリーン２２を配設したものである。
【００３２】
図６は、前記日照を利用した時刻表示器具２１の円筒体２３の一製作例を示している。所定の硬さと軟らかさを備えた紙、布、木材、金属、樹脂、プラスチック、ゴム等からなる矩形状のシート９の中央部に時刻を表す複数の模様４、例えば、図６に示す如く、「７，８，９…」等の模様を夫々鏡文字状にした複数の模様４を横方向に順次並べて形成し、模様４の列の側方に半透明スクリーン２２を貼付した透光窓５を形成し、シート９の図６に示す前面が円筒体２３の内側になるようにシート９の重ねしろ１０を重ねて接合することにより円筒形にすると日照を利用した時刻表示器具２１の円筒体２３が完成する。そして、必要に応じて、円筒体２３に適宜、前記脚部（図１に於いて７）を取付ける。
【００３３】
而して、次に、図５を用いて、前記日照を利用した時刻表示器具２１を用いて時刻表示を行なわせる方法を説明する。
前記日照を利用した時刻表示器具２１を半透明スクリーン２２が北を向くようにして太陽光が照射する場所に設置する。
【００３４】
この状態で、太陽光が模様４の一つを通過し、半透明スクリーン２２に到達すると、光が通過した模様４が半透明スクリーン２２に投映され、鏡文字状の映像２４のまま映し出される。日照を利用した時刻表示器具２１の外方から半透明スクリーン２２を見ると、半透明スクリーン２２に投映された映像２４を視認でき、映像２４は、鏡文字状ではない正常な像で視認できるので、映像２４により時刻を知ることができる。
尚、半透明スクリーン２２の適宜位置に映像２４が投映されるように、予め、円筒体２３の設置位置や、円筒体２３が傾斜可能な場合、円筒体２３の傾斜角度を適宜調整する。
【実施例３】
【００３５】
図７に於いて３１は、本発明の第３実施例の日照を利用した時刻表示器具であり、日照を利用した時刻表示器具３１は、図７（ａ）に示す非透光性の円筒体３２又は図７（ｂ）及び（ｃ）に示す断面視円弧状の半円筒体３３の外周部に、外周部を貫通する窓３４を設け、窓３４に半透明スクリーン３５を配設し、円筒体３２又は半円筒体３３の中心側に軸方向に延びる棒体３６を設け、半透明スクリーン３５の外周下端近傍に時刻を表す複数の模様３７を周方向に順次並べて表示し、外周部が円筒体３２である場合は、窓３４に対向する外周部に透光窓３８を設けたものである。
そして、棒体３６は、棒体３６の上端部が半透明スクリーン３５の上方に傾斜して固着、又は、加圧状態で揺動自在に設けられている。加圧状態で揺動自在に設けられる棒体３６は、任意の角度で回転停止状態を維持することができるように構成されている。尚、棒体３６は、図７（ｂ）及び（ｃ）に示す例に於いては、脚部も兼用している。
【００３６】
而して、次に、前記日照を利用した時刻表示器具３１を用いて時刻表示を行なわせる方法を説明する。
前記日照を利用した時刻表示器具３１を半透明スクリーン３５が北を向くようにして太陽光が照射する場所に設置する。
【００３７】
この状態で、太陽光が棒体３６を通過し、半透明スクリーン３５に到達すると、棒体３６の映像３９が半透明スクリーン３５に投映される。日照を利用した時刻表示器具３１の外方から半透明スクリーン３５を見ると、半透明スクリーン３５に投映された映像３９を視認でき、映像３９の下端が指し示す模様３７によって時刻を知ることができる。
この場合、棒体３６は、棒体３６の上端部が半透明スクリーン３５の上方に傾斜して固着、又は、揺動自在に設けられており、傾斜して固着されている場合、又は、揺動により傾斜している場合は、半透明スクリーン３５に対して棒体３６が傾斜しているので、半透明スクリーン３５に投映される棒体３９の映像は１２時以外は傾斜状態に映し出され、針が時刻を指し示しているように見え、又、映像１２は、時間経過と共に、図７（ａ）に於いて、破線で示す矢印の如く、時計回りに回転するので、従来のアナログ時計の針に似たような表示が可能である。
【実施例４】
【００３８】
図８に於いて４１は、本発明の第４実施例の日照を利用した時刻表示器具であり、日照を利用した時刻表示器具４１は、前記日照を利用した時刻表示器具（図７に於いて３１）の棒体（図７に於いて３６）に代えて、半透明スクリーン３５に並行に棒体４２を固設したものである。尚、半透明スクリーン３５は、前記半透明スクリーン（図７に於いて３５）よりも高さの巾を小さく形成しても良い。
【００３９】
次に、前記日照を利用した時刻表示器具４１を用いて時刻表示を行なわせる方法を説明する。
前記日照を利用した時刻表示器具４１を半透明スクリーン３５が北を向くようにして太陽光が照射する場所に設置する。
この状態で、太陽光が棒体４２を通過し、半透明スクリーン３５に到達すると、棒体４２の映像４３が半透明スクリーン３５に投映される。日照を利用した時刻表示器具４１の外方から半透明スクリーン３５を見た場合、半透明スクリーン３５に投映された棒体４２の映像４３を視認でき、映像４３が指し示す模様３７によって時刻を知ることができる。
この場合、棒体４２は、半透明スクリーン３５に並行に固設しているので、棒体４２の映像である映像４３は、半透明スクリーン３５と並行に、即ち、半透明スクリーン３５に上下方向に映し出され、時間の経過と共に、映像４３は図８（ａ）及び（ｂ）に於いて、例えば、右から左に略並行移動する｛図８（ａ）に於いては、破線で示す矢印参照｝。
【産業上の利用可能性】
【００４０】
本発明の日照を利用した時刻表示器具は、次のような産業上の利用可能性がある。
（１）科学等の学習教材（太陽と地球の位置関係等の実験教材）として利用できる。又、学習教材と利用することにより、子供たちに物理や環境問題への関心を持たせることができる。
（２）学校、公園等の施設や市街地に設置し、時刻表示と共に、オブジェとして利用できる。
（３）市街地や、市街地以外の地域でも災害用の時刻確認用として利用できる。
（４）夜間、日照不足、日照に恵まれない地域に於いて、キャンドルや電球を入れて照らすことにより、環境の雰囲気作り等に利用できる。
【符号の説明】
【００４１】
１，２１，３１，４１  日照を利用した時刻表示器具
２，２３，３２  円筒体
３  外周部
４，１２，３７  模様
５，３４  窓
７  脚部
８  太陽
１３  表示体
１４，２４，３９，４３  映像
２２，３５  半透明スクリーン
３３  半円筒体
３６，４２  棒体
３８  透光窓
【図２】
2010256039.tif 000003
【図４】
2010256039.tif 000004
【図６】
2010256039.tif 000005
【図１】
2010256039.tif 000006
【図３】
2010256039.tif 000007
【図５】
2010256039.tif 000008
【図７】
2010256039.tif 000009
【図８】
2010256039.tif 000010